(57)【要約】  共通の家具本体（３）内に移動可能に格納された少なくとも２個の引き出し（２）のそれぞれ１個を駆動するための少なくとも２個の電気式駆動ユニット（４）を備え、この駆動ユニット（４）にそれぞれ、使用者によって各引き出し（２）に加えられる力（Ｆ）の作用を検出するための測定装置（１０）が付設され、駆動ユニット（４）を制御又は調整するための少なくとも１個の制御又は調整装置（９）を備え、測定装置（１０）の測定信号が制御又は調整装置（９）に供給可能であり、制御又は調整装置（９）が測定装置（１０）の１つから所定の測定信号を受信した後で、付設の駆動ユニット（４）を起動可能であり、制御又は調整装置（９）が作動モードを有し、この作動モードにおいて制御又は調整装置が測定装置（１０）の１つから所定の測定信号を受信した後で、他の測定装置（１０）に付設された駆動ユニット（４）の起動を阻止する装置である。【選択図】図４
2009528092.tif 000002
【特許請求の範囲】
【請求項１】
共通の家具本体内に移動可能に格納された少なくとも２個の引き出しのそれぞれ１個を駆動するための少なくとも２個の電気式駆動ユニットを備え、
この駆動ユニットにそれぞれ、使用者によって各引き出しに加えられる力の作用を検出するための測定装置が付設され、
駆動ユニットを制御又は調整するための少なくとも１個の制御又は調整装置を備え、
測定装置の測定信号が制御又は調整装置に供給可能であり、
制御又は調整装置が測定装置の１つから所定の測定信号を受信した後で、付設の駆動ユニットの起動可能である装置において、
制御又は調整装置（９）が作動モードを有し、
この作動モードにおいて制御又は調整装置が測定装置（１０）の１つから所定の測定信号を受信した後で、他の測定装置（１０）に付設された駆動ユニット（４）の起動を阻止することを特徴とする装置。
【請求項２】
少なくとも１個の測定装置（１０）が位置測定装置を備え、
この位置測定装置が、家具本体（３）内の格納位置から外への付設引き出し（２）の移動を検出できるように配置されていることを特徴とする請求項１記載の装置。
【請求項３】
付設された引き出し（２）に接触する駆動ユニット（４）の部分の移動が位置測定装置によって検出可能であることを特徴とする請求項２記載の装置。
【請求項４】
引き出し（２）に接触する駆動ユニット（４）の部分が、押し出しレバー（７）として形成されていることを特徴とする請求項３記載の装置。
【請求項５】
家具本体（３）内の格納位置から所定の距離（Ｘ）だけ引き出し（２）が外側へ移動するときに、制御又は調整装置（９）がそれに付設された駆動ユニット（４）を起動させるように形成されていることを特徴とする請求項１〜４のいずれか一つに記載の装置。
【請求項６】
家具本体（３）内の格納位置から所定の距離（Ｘ）だけ引き出し（２）が内側へ移動するときに、
制御又は調整装置（９）がそれに付設された駆動ユニット（４）を起動させるように形成されていることを特徴とする請求項１〜４のいずれか一つに記載の装置。
【請求項７】
各駆動ユニット（４）が好ましくはケースに一体化された制御又は調整装置（９）を備え、
各制御又は調整装置（９）がマスターとして形成可能であることを特徴とする請求項１〜６のいずれか一つに記載の装置。
【請求項８】
家具本体と、この家具本体内に移動可能に格納された少なくとも２個の引き出しとを備えた家具において、
請求項１〜７のいずれか一つに記載の装置を備えていることを特徴とする家具。
【発明の詳細な説明】
【技術分野】
【０００１】
本発明は、共通の家具本体内に移動可能に格納された少なくとも２個の引き出しのそれぞれ１個を駆動するための少なくとも２個の電気式駆動ユニットを備え、この駆動ユニットにそれぞれ、使用者によって各引き出しに加えられる力の作用を検出するための測定装置が付設され、駆動ユニットを制御又は調整するための少なくとも１個の制御又は調整装置を備え、測定装置の測定信号が制御又は調整装置に供給可能であり、制御又は調整装置が測定装置の１つから所定の測定信号を受信した後で、付設の駆動ユニットの起動可能である装置に関する。
【背景技術】
【０００２】
このような装置は、往々にして、駆動ユニットの１個を起動した後で、この駆動ユニットによって励起された振動に基づいて、他の駆動ユニットの意図しない起動が起こるという問題を生じる。その理由は、意図的に起動させた駆動ユニットによって発生した振動が他の駆動ユニットの測定装置によって検出され、制御又は調整装置によって、他の駆動ユニットの操作希望として誤解されることにある。
【０００３】
電気式駆動ユニットは、運転中、家具本体の背壁又は共通の支持要素に直接固定されている。不意に起動する問題を回避するために、家具本体又は共通の支持要素をできるだけ丈夫に形成するという解決策が採用された。
【０００４】
しかしながら、これは重量の増大と、特別な背壁又は支持要素を使用しなければならないという事実とに基づいて、経済的および技術的理由から不利である。
【発明の開示】
【発明が解決しようとする課題】
【０００５】
本発明の課題は、不意の起動を回避しつつ、従来の背壁又は支持要素に固定可能である装置を提供することである。
【課題を解決するための手段】
【０００６】
この課題は、請求項１の特徴を有する装置によって解決される。
【０００７】
制御又は調整装置は他の電気式駆動ユニットの起動を言わば電子的に阻止する。それによって、意図的に起動させた駆動ユニットの運転中に発生する振動によって、他の駆動ユニットはもはや起動されない。
【０００８】
他の有利な実施形は従属請求項に記載されている。
【０００９】
例えば、使用者によってそれぞれの引き出しに加えられる力の作用の検出は、少なくとも１個の測定装置が位置測定装置を備え、この位置測定装置が、家具本体内の格納位置からの付設引き出しの移動を検出できるように配置されていることによって達成可能である。この格納位置からの引き出しの移動は、家具本体内への移動でもよいし、家具本体から外への移動でもよい。好ましくは装置が両機能を有するので、所定の距離だけ引き出しを家具本体内に押込むことによってあるいは引き出しを家具本体から外へ移動させることによって駆動ユニットを同じように起動させることができる。
【００１０】
その際、引き出しの移動を直接測定することは必ずしも必要ではない。例えば、位置測定装置は、付設された引き出しに接触する駆動ユニットの部分の移動を検出することができる。この部分は、例えば駆動ユニットの押し出しレバーである。この押し出しレバーは、適当な手段（例えばばね）によって引き出しの背壁の方に付勢されている。引き出しを家具本体内に押すと、押し出しレバーが引き出しの背壁によって家具本体の背壁の方へ押される。引き出しを家具本体から少し引き出すと、機械的に付勢された押し出しレバーが家具本体の背壁から更に少し離れるように移動する。この両運動は、位置測定装置によって検出され、制御又は調整装置に報告される。
【００１１】
各家具につき、１個の制御又は調整装置が家具本体内に配置されたすべての駆動ユニットの制御又は調整を担っている。しかし、モジュール構造であると特に有利である。このモジュール構造の場合、各駆動ユニットが好ましくはケースに一体化された制御又は調整装置を備えている。この場合、各制御又は調整装置は、マスターとして形成可能である。他の制御又は調整装置は、マスターから命令を受けるスレーブ(slaves)として機能する。
【００１２】
本発明は、更に、家具本体と、この家具本体内に移動可能に格納された少なくとも２個の引き出しとを備えた家具に関し、この家具は、上記の請求項のいずれか一つに記載の装置を備えている。
【発明を実施するための最良の形態】
【００１３】
本発明の他の効果および詳細は、図とそれに関連する具体的な説明から明らかになるであろう。
【００１４】
従来技術の装置の問題を、図１〜３に関連して簡単に説明する。
【００１５】
図１ａは、３個の引き出し２を可動に格納した家具本体３を有する家具１を示している。４個の駆動ユニット４が共通の支持要素５に固定されている。駆動ユニットの１つが図１ｂに示してある。使用者８は、上から２番目の引き出し２を家具本体３内に押すことによってこの引き出しの起動を希望する。この状況では、使用者は引き出し２に力Ｆ’を加える。ニュートンの第３法則により、駆動ユニット４の押し出しレバー７が同じ大きさの反対向きの力Ｆを引き出し２の背壁６に加える。
【００１６】
図２ａ、２ｂに示すように、意図的に起動させた引き出し２に、駆動装置４によって力を加えることにより、共通の支持要素５が曲がることになる。それによって、最も上側の駆動ユニット４の押出しレバー７は、最も上側の引き出し２の背壁６から距離Ｘだけ離れるように動く。これは、図１、２に示していない制御又は調整装置によって、操作を希望したとして誤解され、図３に示す状況になる。意図的に起動した上から２番目の引き出し２のほかに、最も上側の引き出し２の駆動ユニット４も不意に起動する。
【００１７】
図４は、モジュール構造の本発明に係る装置のきわめて好ましい実施の形態を概略的に示している。各駆動ユニット４は、制御又は調整装置９と、電動機１１と、測定装置１０を備えている。異なる駆動ユニット４の制御又は調整装置９は、共通のデータバス１２を介して通信を行う。個々のユニットに給電するための電線は、図示していない。制御又は調整装置９の一つは、マスターとして形成され、１つの駆動ユニット４が起動した時に残りの駆動ユニット４を所定の時間だけ起動を阻止する。
【００１８】
図５ａは、駆動ユニット４の斜視図である。この駆動ユニットは、引き出し２の押し出しのために、電動機で駆動される押し出しレバー７を備えている。
【００１９】
図５ｂは、家具１を示している。この家具の本体３には、押し出しレバー７を備えた複数の駆動ユニット４が設けられている。
【図面の簡単な説明】
【００２０】
【図１】図１ａ、１ｂは、従来技術に係る装置を備えた家具の断面図と詳細図である。
【図２】図２ａ、２ｂは、駆動ユニットを起動した後の、図１ａ、１ｂに示した家具の状態を示す。
【図３】図１ａ、１ｂと図２ａ、２ｂに示した家具の更に遅い時点の状態を示し、この場合他の駆動ユニットの意図しない起動が認められる。
【図４】本発明に係る装置の線図である。
【図５】図５ａ、５ｂは、本発明に係る駆動ユニットの斜視図と、家具本体内での駆動ユニットの配置を示す。
【図１ａ】
2009528092.tif 000003
【図１ｂ】
2009528092.tif 000004
【図２ａ】
2009528092.tif 000005
【図２ｂ】
2009528092.tif 000006
【図３】
2009528092.tif 000007
【図４】
2009528092.tif 000008
【図５ａ】
2009528092.tif 000009
【図５ｂ】
2009528092.tif 000010
【国際調査報告】
2009528092.tif 000011
2009528092.tif 000012
2009528092.tif 000013
2009528092.tif 000014
2009528092.tif 000015
2009528092.tif 000016